(57)【要約】【課題】  強度、剛性に優れた擁壁用ブロックにより、自然な景観を呈し生態系の連続性に優れた擁壁を容易に構築できるようにする。【解決手段】  対向する左右側壁及び該左右側壁下部を連結する連結部をコンクリートで一体形成すると共に、前記左右側壁の間の正面側及び背面側に、網状パネルを設けた擁壁用ブロックとする。構造体が、左右側壁及び該左右側壁下部を連結する連結部をコンクリートで一体形成したものなので、強度、剛性共に十分なものとすることができる。正面側及び背面側に設けた網状パネルによって、擁壁の背面側から内部の充填材へ、また充填材から擁壁の表面側に昆虫、ミミズなどの小生物や微生物が行き来できるので生態系の連続性に優れる。表面側の網状パネルには草花が生えることが期待できるので、自然に近い景観を実現できる。【選択図】      図１
2006037365.tif 000002
【特許請求の範囲】
【請求項１】
対向する左右側壁及び該左右側壁下部を連結する連結部をコンクリートで一体形成すると共に、前記左右側壁の間の正面側及び背面側に、網状パネルを設けることを特徴とする擁壁用ブロック。
【請求項２】
請求項１の擁壁用ブロックにおいて、前記正面側及び背面側の網状パネルが、左右の辺が前記左右側壁内に、下辺が前記連結部に碇着されていることを特徴とする擁壁用ブロック。
【請求項３】
請求項１又は２の擁壁用ブロックにおいて、前記左右側壁又は連結部に支持され、ブロック前面を覆う木材を有することを特徴とする擁壁用ブロック。
【請求項４】
請求項３の擁壁用ブロックにおいて、前記左右側壁の正面側下端に突出部を設け、該突出部から長尺ボルトを立設し、前記木材に設けた孔に該長尺ボルトを挿通することで複数の木材を水平向きに取り付け、長尺ボルト上部を前記左右側壁から前方に突出させた固定手段によって固定することを特徴とする擁壁用ブロック。
【請求項５】
請求項４の擁壁用ブロックにおいて、前記固定手段がＬ形金具であり、該金具の垂直面をボルト止めにより前記左右側壁に固定すると共に、水平面に設けた孔に前記長尺ボルトを挿通することで長尺ボルト上部を固定することを特徴とする擁壁用ブロック。
【請求項６】
請求項４又は５の擁壁用ブロックにおいて、前記固定手段によって、最上段と上から２段目の前記木材の間において、前記長尺ボルトを固定することを特徴とする擁壁用ブロック。
【請求項７】
請求項１〜６のいずれかの擁壁用ブロックを積み上げると共に、該ブロック内に土砂などの充填材を充填して構築することを特徴とする擁壁。
【請求項８】
請求項７の擁壁において、前記擁壁用ブロックを、上段のものが下段のものよりも後退するように段差を付けて積み上げて前記充填材の一部の表面を露出させると共に、露出した部分の充填材に植生を施すことを特徴とする擁壁。
【発明の詳細な説明】
【技術分野】
【０００１】
本発明は、例えば河川、道路などの法面の安定のために設けられる擁壁、及び擁壁を構築するための擁壁用ブロックに関し、特に、法面の緑化や生態系の連続性に配慮した多自然型の擁壁・擁壁用ブロックに関するものである。
【背景技術】
【０００２】
近年は、擁壁面の緑化や生態系に配慮した擁壁構造が提案されている。例えば、下記特許文献１には、箱形のブロックを、上段のものが少しずつ後退するように積み上げると共に、ブロック内部には土砂などの充填材を充填し、上段のブロックとの隙間に充填材表面が露出するので、ここに植生を施す擁壁が開示されている。
【特許文献１】特許第３１３６４７１号公報
【０００３】
また、下記特許文献２には、前面と背面を構成する２枚の網状パネルとこれらパネルを連結材で連結した擁壁用ユニットを積み上げると共に、ユニット内部に土砂などの充填材を充填する擁壁構造が開示されている。
【特許文献２】特開２０００−２０４５７３号公報
【発明の開示】
【発明が解決しようとする課題】
【０００４】
前記特許文献１の擁壁は、擁壁前面にブロックのコンクリート面が露出するので、景観が不十分であり、また、背面の地山と擁壁内部の充填材、更には擁壁の表面側とがブロックのコンクリートで遮断されているため、生態系の連続性は全く確保されていない。したがって、このような擁壁は多自然型としては不十分なものであった。
【０００５】
前記特許文献２の擁壁は、網状パネル表面に草が生えるので、自然な景観を呈し、背面側及び正面側の網状パネルを通って昆虫、ミミズなどの小生物や微生物が行き来できるので生態系の連続性にも優れるものであるが、ユニットの強度や剛性が不十分であり、例えばユニット内部に充填材を詰める作業などを慎重に行わなければならなかった。
【０００６】
本発明は、上記の問題点を改善し、強度や剛性に優れた擁壁用ブロックにより自然な景観を呈する擁壁を容易に構築できるようにすることを課題としてなされたものである。
【課題を解決するための手段】
【０００７】
〔構成１〕
本発明は、対向する左右側壁及び該左右側壁下部を連結する連結部をコンクリートで一体形成すると共に、前記左右側壁の間の正面側及び背面側に、網状パネルを設けることを特徴とする擁壁用ブロックである。
【０００８】
〔構成２〕
また本発明は、前記構成１の擁壁用ブロックにおいて、前記正面側及び背面側の網状パネルが、左右の辺が前記左右側壁内に、下辺が前記連結部に碇着されていることを特徴とする擁壁用ブロックである。
【０００９】
〔構成３〕
また本発明は、前記構成１又は２の擁壁用ブロックにおいて、前記左右側壁又は連結部に支持され、ブロック前面を覆う木材を有することを特徴とする擁壁用ブロックである。
【００１０】
〔構成４〕
また本発明は、前記構成３の擁壁用ブロックにおいて、前記左右側壁の正面側下端に突出部を設け、該突出部から長尺ボルトを立設し、前記木材に設けた孔に該長尺ボルトを挿通することで複数の木材を水平向きに取り付け、長尺ボルト上部を前記左右側壁から前方に突出させた固定手段によって固定することを特徴とする擁壁用ブロックである。
【００１１】
〔構成５〕
また本発明は、前記構成４の擁壁用ブロックにおいて、前記固定手段がＬ形金具であり、該金具の垂直面をボルト止めにより前記左右側壁に固定すると共に、水平面に設けた孔に前記長尺ボルトを挿通することで長尺ボルト上部を固定することを特徴とする擁壁用ブロックである。
【００１２】
〔構成６〕
また本発明は、前記構成４又は５の擁壁用ブロックにおいて、前記固定手段によって、最上段と上から２段目の前記木材の間において、前記長尺ボルトを固定することを特徴とする擁壁用ブロックである。
【００１３】
〔構成７〕
また本発明は、前記構成１〜６のいずれかの擁壁用ブロックを積み上げると共に、該ブロック内に土砂などの充填材を充填して構築することを特徴とする擁壁である。
【００１４】
〔構成８〕
また本発明は、前記構成７の擁壁において、前記擁壁用ブロックを、上段のものが下段のものよりも後退するように段差を付けて積み上げて前記充填材の一部の表面を露出させると共に、露出した部分の充填材に植生を施すことを特徴とする擁壁である。
【発明の効果】
【００１５】
本発明の擁壁用ブロックは、構造体が、左右側壁及び該左右側壁下部を連結する連結部をコンクリートで一体形成したものなので、強度、剛性共に十分なものとすることができる。正面側及び背面側に設けた網状パネルによって、擁壁の背面側から内部の充填材へ、また充填材から擁壁の表面側に昆虫、ミミズなどの小生物や微生物が行き来できるので生態系の連続性に優れる。また、表面側の網状パネルには草花が生えることが期待できるので、自然に近い景観を実現できる。
【００１６】
網状パネルの左右の辺を左右側壁内に、下辺を連結部に碇着することで、網状パネルの３辺がコンクリートに固定されるので、網状パネルがきわめて強固に構造体に支持される。ここで碇着とは、コンクリート中に埋め込まれて支持されていることである。
【００１７】
ブロック前面を覆う木材を設けると、擁壁があたかも木材で構築されているような意匠となり、景観に優れた擁壁とすることができる。
【００１８】
左右側壁の正面側下端に突出部を設け、該突出部から長尺ボルトを立設し、木材に設けた孔に該長尺ボルトを挿通して複数の木材を水平向きに取り付け、長尺ボルト上部を左右側壁から前方に突出させた固定手段によって固定することで、木材を容易に、かつ確実に取り付けることができる。また、１つのブロックに太さの異なる木材を使用することができる。
【００１９】
固定手段をＬ形金具とし、該金具の垂直面をボルト止めにより前記左右側壁に固定すると共に、水平面に設けた孔に長尺ボルトを挿通することで長尺ボルト上部を容易、かつ確実に固定することができる。垂直面のボルト孔を長穴とすると、Ｌ形金具の高さ位置を容易に調整できる。
【００２０】
最上段と上から２段目の木材の間において、長尺ボルトを固定手段で固定すると、固定手段が見えにくく、景観に悪影響を及ぼさない。
【００２１】
本発明の擁壁は、前記本発明の擁壁用ブロックを積み上げることで容易に構築でき、しかも景観及び生態系の連続性に優れるものとなる。
【００２２】
擁壁用ブロックを、上段のものが下段のものよりも後退するように段差を付けて積み上げて前記充填材の一部の表面を露出させると共に、露出した部分の充填材に植生を施すと、さらに優れた景観を実現することができる。
【発明を実施するための最良の形態】
【００２３】
本発明において、網状パネルはエキスパンドメタル、金網、多数の小孔を設けた穴あき鋼板等とすることができるが、強度に優れ、しかも充填材が漏れにくいエキスパンドメタルが好適である。エキスパンドメタルの中でも特に、いわゆるブラインドメタルを用いると、背面側の吸い出し防止材（不織布など）が不要となる。
【００２４】
木材を取り付けるための長尺ボルト、及び固定手段を取り付けるためのボルトは、コンクリートに埋設したインサートナットに螺着する構成とすると、ブロックの製造が容易となり、長尺ボルトや固定手段の取り付けにも便利である。
【実施例】
【００２５】
以下、実施例を表した図面に基づいて本発明を詳細に説明する。図１は実施例の擁壁用ブロック１の斜視図、図２は擁壁用ブロック１の正面図、図３は擁壁用ブロック１の平面図、図４は図２におけるＡＡ線断面図、図５は図２におけるＢＢ線断面図、図６は図３におけるＣＣ線断面図、図７は木材の取り付けを説明するための擁壁用ブロック１の斜視図、図８は擁壁用ブロック１の積み上げ状態の平面図、図９は擁壁用ブロック１の積み上げ状態の正面図、図１０は擁壁用ブロックの積み上げ状態の断面図である。
【００２６】
擁壁用ブロック１は対向する左右側壁２、２、左右側壁２、２の下部を連結する連結部３を有する。左右側壁２、２と連結部３とはコンクリートで一体に成形されている。左右の側壁２、２は、図５に示すように、上辺と下辺が水平、正面側が垂直、背面側が傾斜した逆台形状をなし、正面側下部に突出部６が、上面に凸部１２が一体形成され、下面に凹部１３が、中ほどに水抜きのための貫通孔１４が設けられている。また、図１などに示すように、左右の側壁２、２の背面側からは、張出壁１１が左右外側方向に向かって一体に張り出し形成されている。
【００２７】
連結部３は底板となっているが、必ずしも板状である必要はなく、梁状に形成しても良い。連結部３には水抜きのための貫通孔１５が形成されている。また、強度を増すために、正面側には立上部２ａが、背面側には立上部２ｂが一体形成されている。
【００２８】
左右の側壁２、２の間の正面側及び背面側には網状パネル４、４が設けられている。網状パネル４、４はエキスパンドメタルで、特に、いわゆるブラインドメタルであり、薄い鉄板（厚さ０．６〜０．９ｍｍ程度）に多数の切込を入れた後、引き延ばして切込を広げ、多数の孔を形成したものである。ブラインドメタルは、充填材や裏込材が漏れにくいという特徴がある。網状パネル４、４の下辺は、図４に示すように、連結部の３立上部３ａ、３ｂに碇着され、左右の辺は両側の側壁２、２に碇着されている。
【００２９】
擁壁用ブロック１の正面側には４本の木材５がブロック１の前面を覆って水平に取り付けられている。棒状の木材の場合、断面形状は円形の他に四辺形や多角形など種々の形状のもの（例えば、太鼓落とし加工材、バタ角など）を用いることができ、特に間伐材をそのまま、又は太鼓落とし加工材、バタ角などにある程度加工したものを用いると、木材の有効利用となり、環境保護にも役立つ。
【００３０】
木材５は左右の側壁２によって支持される。すなわち木材５は、図７に示すように、突出部６の上面に立設した長尺ボルト７と、左右の側壁２、２の正面にボルト９によって取り付けたＬ形金具８によって取り付けられる。長尺ボルト７は突出部６の上面に埋設したインサートナット１０に螺着し、Ｌ形金具８を固定するボルト９は側壁２の正面に埋設したインサートナット１０に螺着する。Ｌ形金具８の垂直面にはボルト９を挿通する長穴８ａを設け、水平面には長尺ボルト７を挿通するための孔を設けている。長穴８ａの作用で、Ｌ形金具は上下方向に位置調整可能となっている。
【００３１】
木材５には、所定の２個所に予め穴を開けておき、その穴を突出部６の上面に立設した長尺ボルト７に挿通しながら、図５に示すように、突出部６の上に積み重ねる。３本の木材５を積み重ねた後、Ｌ形金具８の水平面の穴を長尺ボルト７に挿通し、側壁２の正面にボルト９で固定する。最後に最上段の木材５ａを、予め明けた穴を長尺ボルト７に挿通して取り付ける。固定手段であるＬ形金具８は、最上段の木材５ａと、上から２段目の木材５ｂの間において、長尺ボルト７の上部を固定している。このようにして木材５を取り付けると、木材の太さが多少異なっていても、木材を容易に、支障無く取り付けることができるので、木材として間伐材を使用するのに適している。また、固定手段が最上部にないので目立たず、見栄えがよい。
【００３２】
擁壁用ブロック１は、図８〜１０に示すように、上段のものが下段のものよりも後退するように段差を付けて積み上げて本発明の擁壁を構築する。また正面図において、上段のブロックの中心が下段のブロックの継目の真上にくるように、いわゆる「千鳥積み」とする。ブロックを積み上げる場合、下段のブロックの凸部１２と上段のブロックの凹部１３とが係合し、上段のブロックが位置決めされる。
【００３３】
図１０において、符号１６は充填材、１７は基礎、１８は裏込材である。各ブロック１の左右側壁２、２と、正面側及び背面側の網状パネル４、４で囲まれた空間には土砂などの充填材１６を充填する。上下のブロックで段差を付けて積み上げているので、充填材１６の表面の一部が露出し、ここに草木が茂って自然な景観となる。基礎１７はコンクリートブロックでも現場打コンクリートでもよいし、地盤が良ければ不要な場合もある。裏込材１８は、土砂など、地山と擁壁との生態系の連続性を妨げないものがよい。擁壁背面は土砂の漏れの少ないブラインドメタルなので、裏込材が充填材の方に流れ込んだり、逆に充填材が裏込材の方に流れ込むことがなく、通常擁壁背面と裏込材の間に施工される吸い出し防止材を省略することができる。
【図面の簡単な説明】
【００３４】
【図１】実施例の擁壁用ブロック１の斜視図である。
【図２】擁壁用ブロック１の正面図である。
【図３】擁壁用ブロック１の平面図である。
【図４】図２におけるＡＡ線断面図である。
【図５】図２におけるＢＢ線断面図である。
【図６】図３におけるＣＣ線断面図である。
【図７】木材の取り付けを説明するための擁壁用ブロック１の斜視図である。
【図８】擁壁用ブロック１の積み上げ状態の平面図である。
【図９】擁壁用ブロック１の積み上げ状態の正面図である。
【図１０】擁壁用ブロックの積み上げ状態の断面図である。
【符号の説明】
【００３５】
１  擁壁用ブロック
２  側壁
３  連結部
４  網状パネル
５  木材
６  突出部
７  長尺ボルト
８  Ｌ形金具
９  ボルト
１０  インサートナット
１１  張出壁
１２  凸部
１３  凹部
１４  貫通孔
１５  貫通孔
１６  充填材
１７  基礎
１８  裏込材
【図１】
2006037365.tif 000003
【図２】
2006037365.tif 000004
【図３】
2006037365.tif 000005
【図４】
2006037365.tif 000006
【図５】
2006037365.tif 000007
【図６】
2006037365.tif 000008
【図７】
2006037365.tif 000009
【図９】
2006037365.tif 000010
【図１０】
2006037365.tif 000011
【図８】
2006037365.tif 000012